【事件の表示】
　特願２０１５−２４５０１５「照明電力および制御システムに関するシステムおよび方法」拒絶査定不服審判事件〔平成２８年６月１６日出願公開、特開２０１６−１０６３９７、請求項の数（１４）〕について、次のとおり審決する。
【結　論】
　原査定を取り消す。
　本願の発明は、特許すべきものとする。
【理　由】
第１　手続の経緯
　この審判事件に関する出願（以下、「本願」という。）は、平成２２年１２月８日にされた国際特許出願（特願２０１２−５３６７９７）の一部を平成２７年１２月１６日に新たな特許出願としたものである。そして、平成２９年６月１３日に特許請求の範囲についての補正がされ、同３０日付けで拒絶査定（以下、「原査定」という。）がされ、同年７月４日に査定の謄本が送達された。
　これに対して、同年１１月６日に拒絶査定不服審判が請求され、同時に特許請求の範囲についての補正（以下、「本件補正」という。）がされた。
第２　本件補正の却下の決定
［結論］
　本件補正を却下する。
［理由］
　本件補正は、以下に述べるとおり、特許法第１７条の２第５項第１号ないし第４号に掲げるいずれの事項を目的とするものでもない。
　したがって、本件補正は、同法第１５９条第１項において読み替えて準用する同法第５３条第１項の規定により却下するべきものである。
１　本件補正の内容
　本件補正前（平成２９年６月１３日にされた補正の後をいう。以下同じ。）及び本件補正後の特許請求の範囲の記載は、以下のとおりである。
（１）本件補正前
「【請求項１】
　デジタル式に制御される直列構成のシステムであって、前記デジタル式に制御される直列構成のシステムは、
　定格電流レベルを有する電力を供給する電源と、
　ラインドライバ回路であって、前記ラインドライバ回路は前記電源から電力を受信し、前記ラインドライバ回路はコントローラシステムから制御データを受信し、前記ラインドライバ回路は電流で出力ラインを駆動し、前記ラインドライバ回路は前記制御データを前記電流で変調する、ラインドライバ回路と、
　前記出力ラインに直列構成で接続される２つ以上の制御されるユニットであって、前記制御されるユニットは分路を使用して前記出力ライン上の前記電流から動作電力を取り込み、前記制御されるユニットはそれぞれ前記出力ラインから前記制御データを復調し、前記制御されるユニットはそれぞれ前記制御データを使用し、前記制御されるユニットに接続される少なくとも１つのローカル回路を制御する、制御されるユニットと、
　を備える構成において、
　前記ラインドライバ回路は、少なくとも電流の下降ランプを使用して前記電流で前記制御データを変調し、下降ランプは、電流の挙動モデルから予測した下降傾斜に基づいて決定される時間で開始し、電流レベルがデータ周期の中央で前記定格電流レベルと交わるように設定されるデジタル式に制御される直列構成のシステム。
　【請求項２】
　前記少なくとも１つのローカル回路は、発光ダイオードのドライバ回路を備える、請求項１に記載のデジタル式に制御される直列構成のシステム。
　【請求項３】
　前記制御されるユニットはそれぞれ、互いに接近して構成した複数の照明デバイスに接続され、前記複数の照明デバイスから出力される様々な色を組み合わせて、幅広い色のスペクトルを生成することができる、請求項１に記載のデジタル式に制御される直列構成のシステム。
　【請求項４】
　前記制御されるユニットは、ローカルコンデンサを充電することにより前記出力ライン上の前記電流からの動作電力を前記ローカルコンデンサへ向け、前記ローカルコンデンサに十分な電力が存在する場合は前記ローカルコンデンサに係る前記電流を前記出力ラインへ分路して戻す、請求項１に記載のデジタル式に制御される直列構成のシステム。
　【請求項５】
　前記制御されるユニットは、前記出力ライン上の前記電流を基準電流として使用する、請求項１に記載のデジタル式に制御される直列構成のシステム。
　【請求項６】
　前記制御されるユニットは、前記出力ラインをヒートシンクとして使用する、請求項１に記載のデジタル式に制御される直列構成のシステム。
　【請求項７】
　直列構成のドライバラインに接続される２つ以上の電子ユニットを給電し、制御する方法であって、前記方法は、
　電源から電力を受信することと、
　コントローラシステムからデジタル制御データを受信することと、
　定格電流レベルを有するＤＣ電流で前記ドライバラインを駆動することと、
　前記ＤＣ電流で前記デジタル制御データを変調し、所定の時間内における前記定格電流レベルからの電流降下である電流ディップを用い、前記デジタル制御データにおけるデータビット周期の前半または後半のいずれかで電流のディップを発生させることによってデータを変調することと、
　出力ラインに接続される電子ユニット内の前記出力ライン上の前記ＤＣ電流から動作電力を取り込むために分路を停止することと、
　前記出力ライン上の前記ＤＣ電流から前記デジタル制御データを復調することと、
　前記出力ライン上の前記ＤＣ電流から復調した前記デジタル制御データを使用し、前記電子ユニットに接続された少なくとも１つのローカル回路を制御することと、
を含む、方法。
　【請求項８】
　前記少なくとも１つのローカル回路は発光ダイオードを含む、請求項７に記載の方法。
　【請求項９】
　前記ＤＣ電流で前記デジタル制御データを変調することは、前記定格電流レベル近傍で電流を増減させることを含む、請求項７に記載の方法。
　【請求項１０】
　前記出力ラインに接続する前記電子ユニットは、複数の点灯デバイスから発信される様々な色を組み合わせて幅広い色のスペクトルを生成することができるように、互いに接近して構成した前記複数の点灯デバイスを含む、請求項７に記載の方法。
　【請求項１１】
　前記出力ラインに接続する前記電子ユニットは、前記ＤＣ電流をローカルコンデンサに向けて流し、前記ローカルコンデンサが十分に充電されると前記ＤＣ電流を分路して前記出力ラインに再び電流を流すことによって、前記ＤＣ電流から動作電力を取り込む、請求項７に記載の方法。
　【請求項１２】
　前記電子ユニットは、前記出力ライン上の前記ＤＣ電流を基準電流として使用する、請求項７に記載の方法。
　【請求項１３】
　前記電子ユニットは、前記出力ラインをヒートシンクとして使用する、請求項７に記載の方法。
　【請求項１４】
　前記２つ以上の電子ユニットはそれぞれ独自のアドレスを有する、請求項７に記載の方法。」
（２）本件補正後
「【請求項１】
　単一の導体ラインに直列で接続された２つのみの外部電気接続を有する電子回路ノードであって、
　ローカル電力供給を蓄えるためのローカルコンデンサと、
　入力ポート及び出力ポートを有する前記単一の導体ラインに前記直列で接続され、前記集積回路は、前記入力ポートで受信した電流を前記ローカルコンデンサに周期的に向けて前記ローカル電源を生成し、前記集積回路は、前記入力ポートで受信した電流を前記ローカルコンデンサに向けていない場合は、前記入力ポートからの前記電流を前記出力ポートに分路する集積回路と、
　前記集積回路に接続され、前記ローカル電源を使用して動作する少なくとも１つの印加回路と、を備える
　ことを特徴とする電子回路ノード。
　【請求項２】
　前記少なくとも１つの印加回路は、発光ダイオード（ＬＥＤ）を含む、請求項１に記載の電子回路ノード。
　【請求項３】
　前記集積回路は、データ抽出サブ回路であって、前記電流に上乗せして変調された制御データを復調するためのデータ抽出サブ回路を備える、請求項１に記載の電子回路ノード。
　【請求項４】
　前記データ抽出サブ回路は、前記電流における定格定電流レベルからの電流偏差を検出することにより前記制御データを復調する、請求項３に記載の電子回路ノード。
　【請求項５】
　前記集積回路は、前記制御データを使用して前記少なくとも１つの印加回路を制御する、請求項３に記載の電子回路ノード。
　【請求項６】
　前記単一の出力ポートは、前記電子回路ノードのローカル接地として機能する、請求項１に記載の電子回路ノード。
　【請求項７】
　前記入力ポートは、上流側の電子回路ノードの上流側の出力ポートに接続されている、請求項１に記載の電子回路ノード。
　【請求項８】
　２つのみの外部電気接続を備える電子回路ノード上の印加回路を駆動する方法であって、前記方法は、
　単一の入力ラインで受信した直流をローカルコンデンサに周期的に向けてローカル電源を生成することと、
　前記直流を前記ローカルコンデンサに向けていない場合は、前記単一の入力ラインで受信した前記直流を単一の出力ラインに分路することと、
　前記ローカルコンデンサ内に蓄えられた前記ローカル電源を使用して前記出力回路を駆動することと、を含む
　ことを特徴とする方法。
　【請求項９】
　前記印加回路を駆動することは、発光ダイオード（ＬＥＤ）を駆動することを含む、請求項８に記載の前記電子回路ノード上の前記印加回路を駆動する方法。
　【請求項１０】
　前記方法は、前記直流に上乗せして変調された制御データを復調することを更に含む、請求項８に記載の前記電子回路ノード上の前記印加回路を駆動する方法。
　【請求項１１】
　制御データを復調することは、前記直流における電流偏差のパターンを検出することを含む、請求項１０に記載の前記電子回路ノード上の前記印加回路を駆動する方法。
　【請求項１２】
　前記単一の出力ラインは、前記電子回路ノードのローカル接地として機能する、請求項８に記載の前記電子回路ノード上の前記印加回路を駆動する方法。
　【請求項１３】
　前記単一の入力ラインは、上流側の電子回路ノードの上流側の単一の出力ラインに接続されている、請求項８に記載の前記電子回路ノード上の前記印加回路を駆動する方法。
　【請求項１４】
　複数の印加回路を駆動するための単一の導体の電子回路ループであって、
　ループ回路上で直流を駆動する電流発生器と、
　前記ループ回路に直列で接続され、２つのみの外部電気接続を有する複数の個々の回路ノードとを備え、
　前記個々の電子回路ノードのそれぞれは、
　　ローカル電源を蓄えるためのローカルコンデンサと、
　　入力ポート及び出力ポートを有する前記単一の導体の電子回路ループに前記直列で接続され、前記集積回路は、前記入力ポートで受信した前記直流を前記ローカルコンデンサに周期的に向けて前記ローカル電源を生成し、前記集積回路は、前記入力ポートで受信した前記直流を前記ローカルコンデンサに向けていない場合は、前記入力ポートからの前記直流を前記出力ポートに分路する集積回路と、
　　前記集積回路に接続され、前記ローカル電源を使用して動作する少なくとも１つの印加回路と、を備える
　ことを特徴とする単一の導体の電子回路ループ。
　【請求項１５】
　前記印加回路は、発光ダイオードを含む、請求項１４に記載の単一の導体の電子回路ループ。
　【請求項１６】
　前記集積回路は、前記ループ回路上の前記直流に上乗せして変調された制御データを復調するためのデータ抽出サブ回路を備える、請求項１４に記載の単一の導体の電子回路ループ。
　【請求項１７】
　前記データ抽出サブ回路は、前記直流における定格電流レベルからの電流偏差を検出することにより前記制御データを復調する、請求項１６に記載の単一の導体の電子回路ループ。
　【請求項１８】
　前記集積回路は、前記制御データを使用して前記少なくとも１つの印加回路を制御する、請求項１６に記載の単一の導体の電子回路ループ。
　【請求項１９】
　前記出力ポートは、前記個々の回路ノードのローカル接地として機能する、請求項１４に記載の単一の導体の電子回路ループ。
　【請求項２０】
　前記入力ポートは、上流側の電子回路ノードの上流側の出力ポートに接続されている、請求項１４に記載の単一の導体の電子回路ループ。」
２　本件補正の適否の判断
　本件補正前の特許請求の範囲の請求項１ないし請求項１４に記載された事項によって特定される発明は、「デジタル式に制御される直列構成のシステム」の発明（請求項１ないし請求項６）及び「直列構成のドライバラインに接続される２つ以上の電子ユニットを給電し、制御する方法」の発明（請求項７ないし請求項１４）である。
　これに対し、本件補正後の特許請求の範囲の請求項１ないし請求項２０に記載された事項によって特定される発明は、「単一の導体ラインに直列で接続された２つのみの外部電気接続を有する電子回路ノード」の発明（請求項１ないし請求項７）、「２つのみの外部電気接続を備える電子回路ノード上の印加回路を駆動する方法」の発明（請求項８ないし請求項１３）及び「複数の印加回路を駆動するための単一の導体の電子回路ループ」の発明（請求項１４ないし請求項２０）である。
　そうすると、本件補正後の特許請求の範囲の各請求項に記載された事項によって特定される発明は、本件補正前の特許請求の範囲の各請求項に記載された事項によって特定される発明のいずれにも対応していない。
　したがって、本件補正は、請求項の削除、特許請求の範囲の限定的減縮、誤記の訂正及び明瞭でない記載の釈明のいずれを目的とするものでもないことが明らかである。
３　本件補正の却下の決定のむすび
　以上のとおりであるから、本件補正は、特許法第１７条の２第５項第１号ないし第４号に掲げるいずれの事項を目的とするものでもない。
　したがって、本件補正は、同法第１５９条第１項において読み替えて準用する同法第５３条第１項の規定により却下するべきものである。
第３　本願に係る発明について
１　本願に係る発明
　本件補正は、前記第２のとおり却下されたので、本願の請求項１ないし請求項１４に係る発明（以下、「本願発明１」ないし「本願発明１４」という。）は、本件補正前の特許請求の範囲の請求項１ないし請求項１４に記載された事項によって特定される前記第２の１（１）のとおりのものである。
　なお、本願発明２ないし本願発明６は、本願発明１の構成を全て含み、本願発明８ないし本願発明１４は、本願発明７の構成を全て含む。
２　原査定の概要
　本願発明７ないし本願発明１２及び本願発明１４は、後記の引用文献１、引用文献２、引用文献４及び引用文献５に記載された発明に基づいて、当業者が容易に発明をすることができたものである。
　本願発明１３は、後記の引用文献１ないし引用文献５に記載された発明に基づいて、当業者が容易に発明をすることができたものである。
　したがって、本願発明７ないし本願発明１４は、特許法第２９条第２項の規定により特許を受けることができない。
　　引用文献１：特表２００９−５０３７７８号公報
　　引用文献２：国際公開第２０１０／０５５４５６号
　　引用文献３：特開２０００−６８４２６号公報
　　引用文献４：特開２０１０−１２２９４５号公報
　　引用文献５：特開平９−６４７９６号公報
３　引用文献に記載された発明等
（１）引用文献１
ア　引用文献１の記載
　引用文献１には、以下の記載がある。下線は、当合議体が付した。
「【技術分野】
【０００１】
　
本発明は、複数の光源を制御する
方法に関する。
「【０００６】
　本発明によれば、照明システムは、電流源およびシステム制御ユニットを備えている。これらは別個のユニットでもよいが、好ましくは１つの装置に一体化されていてもよい。
電流源および制御ユニットは、変調されたコマンドデータを有する電流を一緒に供給する。電流は
直流である。電流は、
実質的に一定であり、例外的に変調されたものである。変調コマンドデータは、システム制御ユニットから複数の照明ユニットに向けられたコマンド情報であり、変調形式で与えられる。
変調は、情報を運ぶために時間と共に搬送波（供給電流）が変化する任意のタイプのものと理解される。直流の場合、変調はパルス変調、すなわち、異なる電流値（例えば、公称値の１００％／５０％）の間で、電流を連続的に又は交互にオンとオフに変化させることを含んでいてもよい。
電流値のより高度な変調方法
を採用してもよい。
【０００７】
　本発明による照明システムは、さらに、各々少なくとも１つの光源（好ましくはＬＥＤ）を有している
複数の照明ユニット
は、電源に直列接続されている。
作動中、
供給電流は各照明ユニットを通り、これにより、各照明ユニットでの電流は実質的に等しい。
【０００８】
　
各照明ユニットにおいて、供給電流は光源を駆動することができる。光源の作動を制御するため、本発明による制御可能なバイパス手段があり、これは光源を選択的にバイパスすることを許容する。バイパス手段は、照明ユニット内で制御ユニットにより制御される。制御ユニットは、変調コマンドデータを受取り、それにしたがいバイパス手段を制御する。
照明ユニットの制御ユニットが、光源を供給電流により作動させるか又はバイパスさせるコマンドを実行する。
「【００２７】
　図１は、電流源１２と複数の照明ユニット４，６，８を備えた照明システム１０を示している。電流源１２は、出力電流Ｉが送り出される電流出力を有している。他端子には、戻り電流Ｉｂａｃｋが戻っており、これは一般的にＩと等しい。
【００２８】
　各照明ユニット４，６，８は、３つの端子を有しており、第１の端子は入力電流Ｉｉｎを受入れ、第２の端子は順方向出力電流Ｉｆｗｄを送り出し、第３の端子はショートカット出力電流Ｉｓｃを送り出す。
照明ユニット（４，６，８）は、直列配線接続で電流源１２に接続されている。
「【００３０】
　図２は、電流源１２をより詳細に示している。電流源は、定電流Ｉを送り出す定電流源１４を備えている。図示する本実施形態では、電流源１４は直流を送り出す。さらに、電流源は、読取り書込みメモリ１８にアクセスする、システム制御ユニットとして機能する電流源コントローラ１６を備えている。電流源コントローラ１６は、好ましい実施形態で変調スイッチ２０として示されている変調装置を制御する。電流源コントローラ１６により制御される変調スイッチ２０は連続的に開閉されるので、電流源１２により送り出される電流Ｉは変調される。オン／オフ変調の代わりに、当業者に知られているように、他のより高度な変調形式が可能である。
【００３１】
　電流源１２は、本文脈では「インテリジェント」電流源の意味であり、以下の記載で明らかとなるように、実質的に定電流Ｉ（変調を除いて一定振幅）を送り出すだけでなく、照明ユニット４，６，８を制御するための変調データを送り出す。
【００３２】
　図３は、３つの端子Ｉｉｎ，Ｉｆｗｄ，Ｉｓｃを有する照明ユニット４，６，８の１つを示している。各照明ユニットは、Ｉｉｎに接続されたＬＥＤ光源２２を備えている。バイパススイッチ２４（例えば、トランジスタ）が、ＬＥＤ２２と並列に接続されている。バイパススイッチ２４が閉じると、ＬＥＤ２２は入力電流Ｉｉｎがバイパスされるので、ＬＥＤ２２は作動しない。バイパススイッチ２４が開くと、ＬＥＤ２２は通過して流れる電流Ｉｉｎにより作動する。
【００３３】
　さらに、
照明ユニット４，６，８は、制御ユニット２６と電力変換装置２８を備えている。電力変換装置２８は、入力電流Ｉ
ｉｎ
に直列接続に接続され、（例えば、低インピーダンス抵抗器を介して）通過して流れる電流から制御ユニット２６のための作動電圧
を生成する。
作動電圧は（例えば、大容量キャパシタで）バッファ／格納／蓄積されて、電流Ｉがオフに転じてもしばらくの間、制御ユニット２６が作動できる
【図１】
【図２】
【図３】
イ　引用文献１に記載された発明
　引用文献１の前記アの記載によれば、引用文献１には、以下の発明（以下、「引用発明」という。）が記載されている。
「複数の光源を制御する方法であって
　電流源およびシステム制御ユニットは、変調されたコマンドデータを有する電流を一緒に供給し、
　電流は、直流であり、実質的に一定であり、例外的に変調されたものであり、
　変調コマンドデータは、システム制御ユニットから複数の照明ユニットに向けられたコマンド情報であり、変調形式で与えられ、
　変調は、情報を運ぶために時間と共に搬送波（供給電流）が変化する任意のタイプのものであり、パルス変調、すなわち、異なる電流値（例えば、公称値の１００％／５０％）の間で、電流を連続的に又は交互にオンとオフに変化させることを含んでいてもよく、電流値のより高度な変調方法を採用してもよく、
　複数の照明ユニットは、電流源に直列接続されており、作動中、供給電流は各照明ユニットを通り、これにより、各照明ユニットでの電流は実質的に等しく、
　各照明ユニットにおいて、供給電流は光源を駆動することができ、光源の作動を制御するため、制御可能なバイパス手段があり、これは光源を選択的にバイパスすることを許容し、バイパス手段は、照明ユニット内で制御ユニットにより制御され、
　照明ユニットの制御ユニットは、変調コマンドデータを受取り、それにしたがいバイパス手段を制御し、光源を供給電流により作動させるか又はバイパスさせるコマンドを実行し、
　各照明ユニットは、制御ユニットと電力変換装置を備えており、
　電力変換装置は、入力電流に直列接続に接続され、（例えば、低インピーダンス抵抗器を介して）通過して流れる電流から制御ユニットのための作動電圧を生成し、
　作動電圧は（例えば、大容量キャパシタで）バッファ／格納／蓄積されて、電流がオフに転じてもしばらくの間、制御ユニットが作動できる方法。」
（２）引用文献２
ア　引用文献２の記載
　引用文献２には、以下の記載がある。下線は、当合議体が付した。原文の引用の後に記載した日本語訳は、引用文献２に対応する公表特許公報（特表２０１２−５０８９６２号公報）の記載に基づいて当合議体が作成した。
（ア）（要約）
「Abstract: 
A lighting system (1) comprises a power unit (20) for 
producing data- modulated current, and a light unit (10)
this current at its input and output terminals (11, 12). 
The light 
unit comprises two or more light modules (100A; 100B; 100C) 
connected in series. Each light module comprises:
of 
one or more LEDs (111, 112, 113) connected between module input 
and output terminals (101, 102), each LED having an associated 
controllable shunt switch (121, 122, 123) connected in parallel 
thereto; - a module controller (190)
switches, the module controller (190) having a input terminals 
(191, 192) connected to said module input and output terminals, 
respectively. 
The module controller demodulates the data and 
controls the switches on the basis of an action command contained 
therein,
unique controller address.」
「要約：
照明システム（１）は、データ変調された電流を生成するための電力ユニット（２０）と、
ライトユニット（１０）とを有する。ライトユニットは、直列に接続された２つ又はそれより多くのライトモジュール（１００Ａ、１００Ｂ、１００Ｃ）を有する。各ライトモジュールは、モジュールの入力及び出力端子（１０１、１０２）の間に接続された１つ又はそれより多くのＬＥＤ（１１１、１１２、１１３）
を有し、各ＬＥＤは、該ＬＥＤと並列に接続された関連付けられた制御可能な短絡スイッチ（１２１、１２２、１２３）をもち、各ライトモジュールは、
モジュールコントローラ（１９０）を有し、
モジュールコントローラは、データを復調し、
このデータに含まれたアクションコマンドに基づいてスイッチを制御する。
（イ）（第４ページ第２５行ないし第５ページ第５行）
「
The module controller 190 has a first input terminal 191 connected
to the module input terminal 101 and a second input terminal 192 
connected to the module output terminal 102. A one-way conductive 
element 181, for instance comprising one or more diodes in series, 
assures polarity at said input terminals 191, 192.
voltage drop developing over the LEDs 111, 112, 113, the module 
controller 190 receives a supply voltage.
　Preferably, 
the module controller 190 is provided with an energy 
buffer 182, for instance a capacitor, parallel to its input 
terminals 191, 192.
　If all switches 131, 132, 133 are closed, it may be that the 
voltage drop over the module input and output terminals 101, 102 is 
too low for being able to supply the module controller 190, 
particularly in view of the fact that the one-way conductive element
181 develops a voltage drop when conducting. This can be solved if 
the controller 190 is provided with a controllable switch bridging 
the one-way conductive element 181, so that 
the controller 190 can 
regularly short the element 181 briefly to obtain a charge current 
pulse.
the controlling of the LEDs.」
「
モジュールコントローラ１９０は、モジュール入力端子１０１に接続された第１の入力端子１９１と、モジュール出力端子１０２に接続された第２の入力端子１９２とをもつ。例えば直列の１又はそれ以上のダイオードを有する一方向導通要素１８１は、入力端子１９１、１９２での極性を保証する。
　好ましくは、
モジュールコントローラ１９０は、その入力端子１９１、１９２と並列に、エネルギバッファ１８２、例えばキャパシタを備えている。
　全てのスイッチ１３１、１３２、１３３が閉にされた場合には、モジュールの入力及び出力端子１０１、１０２間の電圧降下は、詳細には一方向導通要素１８１が導通時に電圧降下をもたらすという事実を考慮して、モジュールコントローラ１９０に供給可能にするには低過ぎるかもしれない。これは、コントローラ１９０が、一方向導通要素１８１をブリッジングする制御可能なスイッチを備える場合に解決され、従って、
コントローラ１９０は、チャージ電流パルスを得るために要素１８１を一時的に一定間隔で短絡する
（ウ）（図１）
（エ）（図２）
イ　引用文献２に記載された技術事項
　引用文献２の前記アの記載によれば、引用文献２には、以下の技術事項が記載されている。
「データ変調された電流を生成するための電力ユニット２０と、直列に接続された２つ以上のライトモジュール１００Ａ、１００Ｂ、１００Ｃを有するライトユニット１０とを有する照明システム１であって、
　各ライトモジュールは、その入力端子１０１及び出力端子１０２の間に接続された１つ以上のＬＥＤ１１１、１１２、１１３と、モジュールコントローラ１９０とを有し、
　各ＬＥＤは、該ＬＥＤと並列に接続された関連付けられた制御可能な短絡スイッチ１２１、１２２、１２３をもち、
　モジュールコントローラ１９０は、データを復調し、このデータに含まれたアクションコマンドに基づいて短絡スイッチ１２１、１２２、１２３を制御し、
　モジュールコントローラ１９０は、ライトモジュールの入力端子１０１に接続された第１の入力端子１９１と、ライトモジュールの出力端子１０２に接続された第２の入力端子１９２とをもち、
　モジュールコントローラ１９０の第１の入力端子１９１と第２の入力端子１９２での極性を保証する、例えば直列の１つ以上のダイオードを有する一方向性導通要素１８１があり、
　モジュールコントローラ１９０は、その第１の入力端子１９１及び第２の入力端子１９２と並列に、例えばキャパシタであるエネルギバッファ１８２を備える照明システム１において、
　モジュールコントローラ１９０は、チャージ電流パルスを得るために一方向性導通要素１８１を一時的に一定間隔で短絡する。」
（３）引用文献３
　引用文献３の【００２８】及び【００３３】の記載によれば、引用文献３には、ダイオードチップに電流が流れることにより発生した損失熱を電力線へ放熱するという技術事項が記載されている。
（４）引用文献４
　引用文献４の【０００３】ないし【０００５】、【００４０】、【００５５】、図３及び図８の記載によれば、引用文献４には、信号の符号化にモディファイ・ミラー符号を用いるという技術事項が記載されている。
（５）引用文献５
　引用文献５の【００４５】、【００４６】及び図５の記載によれば、引用文献５には、通信方式の通信波形として、マンチェスタコードを使用するという技術事項が記載されている。
４　対比・判断
（１）本願発明７について
ア　対比
　本願発明７と引用発明とを対比すると、以下のとおりである。
（ア）引用発明の「照明ユニット」は、本願発明７の「電子ユニット」に相当し、引用発明の「複数の照明ユニット」は、本願発明７の「２つ以上の電子ユニット」に相当する。
（イ）引用発明の「電流源」は、本願発明７の「電源」に相当する。
（ウ）引用発明の「複数の照明ユニット」は、「電流源に直列接続されており、作動中、供給電流は各照明ユニットを通り、これにより、各照明ユニットでの電流は実質的に等しく」なっているから、本願発明７の「直列構成のドライバラインに接続される２つ以上の電子ユニット」に相当する。
（エ）引用発明の「複数の照明ユニット」は、「電流源に直列接続されて」いる以上、給電されていることが明らかであるから、引用発明の「複数の光源を制御する方法」は、本願発明７の「直列構成のドライバラインに接続される２つ以上の電子ユニットを給電」「する方法」に相当し、また、本願発明７の「電源から電力を受信すること」に相当することを含むものと認められる。
（オ）引用発明の「複数の照明ユニット」は、「照明ユニットの制御ユニット」が「変調コマンドデータを受取り、それにしたがいバイパス手段を制御し、光源を供給電流により作動させるか又はバイパスさせるコマンドを実行」するから、引用発明の「複数の光源を制御する方法」は、「直列構成のドライバラインに接続される２つ以上の電子ユニットを」「制御する方法」にも相当する。
（カ）引用発明の「電流」は、「直流であり、実質的に一定であり、例外的に変調されたものであ」るから、本願発明７の「定格電流レベルを有するＤＣ電流」に相当し、引用発明の「電流源およびシステム制御ユニット」は、「変調されたコマンドデータを有する電流を一緒に供給」するから、引用発明の「複数の光源を制御する方法」は、本願発明７の「定格電流レベルを有するＤＣ電流で前記ドライバラインを駆動すること」に相当することを含むものと認められる。
（キ）引用発明の「コマンドデータ」は、本願発明７の「デジタル制御データ」に相当する。そして、引用発明の「電流源およびシステム制御ユニット」は、「変調されたコマンドデータを有する電流を一緒に供給」し、「変調コマンドデータは、」「変調形式で与えられ」るから、引用発明の「コマンドデータ」の「変調」は、本願発明７の「デジタル制御データ」の「変調」に相当し、したがって、引用発明の「複数の光源を制御する方法」は、本願発明７の「前記ＤＣ電流で前記デジタル制御データを変調し、」「データを変調すること」に相当することを含むものと認められる。
（ク）引用発明の「照明ユニットの制御ユニット」は、「変調コマンドデータを受取り、それにしたがいバイパス手段を制御」するものであり、ここで、「変調コマンドデータ」は、「電流源およびシステム制御ユニット」が「変調されたコマンドデータを有する電流」として「一緒に供給」したものであるから、引用発明の「複数の光源を制御する方法」は、本願発明７の「前記出力ライン上の前記ＤＣ電流から前記デジタル制御データを復調すること」に相当することを含むものと認められる。
（ケ）引用発明は、「各照明ユニットにおいて、供給電流は光源を駆動することができ、光源の作動を制御するため、制御可能なバイパス手段があり、これは光源を選択的にバイパスすることを許容し、バイパス手段は、照明ユニット内で制御ユニットにより制御され」るから、引用発明の「照明ユニット」は、「光源」及び「バイパス手段」を含み、そして、引用発明の「光源」及び「バイパス手段」は、本願発明７の「少なくとも１つのローカル回路」に相当する。
（コ）引用発明の「照明ユニットの制御ユニット」は、「変調コマンドデータを受取り、それにしたがいバイパス手段を制御し、光源を供給電流により作動させるか又はバイパスさせるコマンドを実行」するから、本願発明７の「前記出力ライン上の前記ＤＣ電流から復調した前記デジタル制御データを使用し、」「少なくとも１つのローカル回路を制御すること」に相当することを含むものと認められる。
イ　一致点及び相違点
　前記アの対比の結果をまとめると、本願発明７と引用発明との一致点及び相違点は、以下のとおりである。
（ア）一致点
「直列構成のドライバラインに接続される２つ以上の電子ユニットを給電し、制御する方法であって、前記方法は、
　電源から電力を受信することと、
　定格電流レベルを有するＤＣ電流で前記ドライバラインを駆動することと、
　前記ＤＣ電流で前記デジタル制御データを変調し、データを変調することと、
　前記出力ライン上の前記ＤＣ電流から前記デジタル制御データを復調することと、
　前記出力ライン上の前記ＤＣ電流から復調した前記デジタル制御データを使用し、少なくとも１つのローカル回路を制御することと、
を含む、方法。」
（イ）相違点
ａ　相違点１
　本願発明７は、「コントローラシステムからデジタル制御データを受信すること」を含むのに対し、
　引用発明は、「コマンドデータ」（本願発明７の「デジタル制御データ」に相当する。）をどこから得るかが不明な点。
ｂ　相違点２
　本願発明７は、「デジタル制御データ」の「変調」が「所定の時間内における前記定格電流レベルからの電流降下である電流ディップを用い、前記デジタル制御データにおけるデータビット周期の前半または後半のいずれかで電流のディップを発生させることによって」行われるのに対し、
　引用発明は、「コマンドデータ」の「変調」（本願発明７の「デジタル制御データ」の「変調」に相当する。）が「情報を運ぶために時間と共に搬送波（供給電流）が変化する任意のタイプのものであり、パルス変調、すなわち、異なる電流値（例えば、公称値の１００％／５０％）の間で、電流を連続的に又は交互にオンとオフに変化させることを含んでいてもよく、電流値のより高度な変調方法を採用してもよく」とされているにとどまる点。
ｃ　相違点３
　本願発明７は、「出力ラインに接続される電子ユニット内の前記出力ライン上の前記ＤＣ電流から動作電力を取り込むために分路を停止すること」を含むのに対し、
　引用発明は、これに相当するものを含むとされていない点。
ｄ　相違点４
　本願発明７は、「少なくとも１つのローカル回路」が「前記電子ユニットに接続された」ものであるのに対し、
　引用発明は、「光源」及び「バイパス手段」（本願発明７の「少なくとも１つのローカル回路」に相当する。）が「照明ユニット」（本願発明７の「電子ユニット」に相当する。）に含まれる点。
ウ　相違点３についての判断
　事案に鑑み、まず、相違点３について検討する。
（ア）本願発明７の「出力ラインに接続される電子ユニット内の前記出力ライン上の前記ＤＣ電流から動作電力を取り込むために分路を停止すること」に関し、本願の明細書には、以下の記載がある。下線は、当合議体が付した。
「【００５７】
　ドライバラインの電流でデータを変調することは容易なプロセスではない。ドライバライン上で様々なＬＥＤユニット４７０を動作させることで、ＬＥＤラインドライバ回路４２５がドライバライン上で電流を安定して制御することが困難になる。特に、図５Ａのように、様々なＬＥＤユニット５７０は、
ローカルコンデンサを充電する電流を流すか（これによってＬＥＤユニットにより大きい電圧降下が起こる）、ライン電流を分路して（これによってＬＥＤユニットに小さい電圧降下のみが起こる）、
「【０１００】
　このようにローカル電源コンデンサ７２９を充電することによって、ドライバラインの入力７２１からドライバラインの出力７２２までのＬＥＤコントローラ７６０にかかる電圧降下が増大する。このＬＥＤコントローラ７６０にかかる電圧降下が増大すると、同一ラインにある他のＬＥＤコントローラへの電圧が低下することになるため、他のＬＥＤコントローラは充電を開始する閾値には達しない。
ＬＥＤコントローラが充電を完了すると、
電流をドライバライン入力７２１からドライバライン出力７２２へ直接分路し
「【０１０２】
　再度図８を参照すると、ＬＥＤコントローラが閾値電圧を超えたあと、電源システム７２０は工程８１０で外部電源コンデンサ７２９を充電し、工程８１５で電源システム７２０が外部電源コンデンサ７２９にＬＥＤコントローラ７６０（電源システム７２０を含む）内の論理回路を作動させるのに十分な電力があると判断するまで充電を続ける。外部電源コンデンサ７２９は、実質的には小型のバッテリとして働いてＬＥＤユニット７５０内のＬＥＤコントローラ７６０に給電する。電源システム７２０は、
定期的に分路を停止してドライバライン７２１から電流を取り込み、
電源コンデンサ７２９を再充電する。
「【０１０５】
　正常運転８４０の間、電源システム７２０は電源コンデンサの充電状態をモニタリングし、
必要に応じてラインの分路からコンデンサの充電へ切り替え、ＬＥＤコントローラ７６０を動作するのに十分な電荷が外部コンデンサ７２９で確実に使用できるようにする。
分路がオフになり、外部コンデンサ７２９に電荷が蓄積される。コンデンサが満杯になったと思われると、
充電を停止してラインの電流を分路し、小さい電圧降下を起こすだけで、ドライバラインの入力７２１に流れてくる電流が電源システム７２０を通ってドライバラインの出力７２２へ流れるようにする。
（イ）以上の記載によれば、本願発明７の「出力ラインに接続される電子ユニット内の前記出力ライン上の前記ＤＣ電流から動作電力を取り込むために分路を停止する」とは、具体的には、ドライバライン入力７２１からの電流を直接ドライバライン出力７２２へ流す動作（すなわち、「分路」）を停止し、ドライバライン入力７２１から電流を取り込んで電源コンデンサ７２９を充電することであり、それによって、ＬＥＤコントローラ７６０の動作に十分な電荷を電源コンデンサ７２９に蓄積した後は、再びドライバライン入力７２１からの電流を直接ドライバライン出力７２２へ流す動作（すなわち、「分路」）を行うものと認められる。
（ウ）これに対して、引用発明は、「各照明ユニット」が「制御ユニットと電力変換装置を備えており」、「電力変換装置は、入力電流に直列接続に接続され、（例えば、低インピーダンス抵抗器を介して）通過して流れる電流から制御ユニットのための作動電圧を生成し、」「作動電圧は（例えば、大容量キャパシタで）バッファ／格納／蓄積されて、電流がオフに転じてもしばらくの間、制御ユニットが作動できる」というものであるから、「照明ユニット」（本願発明７の「電子ユニット」に相当する。）に供給される「電流」（これは「直流」であるから、本願発明７の「ＤＣ電流」に相当する。）から「作動電圧」（本願発明７の「動作電力」に相当する。）を取り込んでいる点では、本願発明７と共通するということもできる。
　しかし、引用発明の「電力変換装置」は、「入力電流に直列接続に接続され、（例えば、低インピーダンス抵抗器を介して）通過して流れる電流から制御ユニットのための作動電圧を生成」するだけであるから、「ＤＣ電流から動作電力を取り込むために分路を停止する」ものではないし、そもそも電流の「分路」自体を示唆するものではない。
（エ）また、引用文献２に記載された技術事項（前記３（２）イ）において、「モジュールコントローラ１９０」が「チャージ電流パルスを得るために一方向性導通要素１８１を一時的に一定間隔で短絡する」のは、「例えばキャパシタであるエネルギバッファ１８２」を充電するためであると認められるから、引用文献２に記載された技術事項に係る「照明システム１」は、「データ変調された電流」から動作電力を取り込んでいるということもできる。
　しかし、引用文献２に記載された技術事項に係る「照明システム１」においては、「チャージ電流パルスを得るために一方向性導通要素１８１を一時的に一定間隔で短絡する」ことで停止される動作（すなわち、本願発明７の「分路」に相当する動作）が見当たらない。
　したがって、引用文献２に記載された技術事項は、相違点３に係る本願発明７の構成を示唆するものではない。
（オ）さらに、引用文献３ないし引用文献５に記載された技術事項（前記３（３）ないし（５））も、相違点３に係る本願発明７の構成を示唆するものではない。
（カ）したがって、相違点３に係る本願発明７の構成は、引用発明及び引用文献１ないし引用発明５に記載された事項に基づいて、当業者が容易に思い付くものであるということはできない。
エ　本願発明７についてのまとめ
　以上のとおりであるから、相違点１、相違点２及び相違点４について検討するまでもなく、本願発明７は、引用文献１、引用文献２、引用文献４及び引用文献５に記載された発明に基づいて、又はさらに引用文献３に記載された発明に基づいても、当業者が容易に発明をすることができたものであるということはできない。
（２）本願発明８ないし本願発明１４について
　本願発明８ないし本願発明１４は、本願発明７の構成を全て含むから、少なくとも本願発明７と引用発明との相違点１ないし相違点４（前記（１）イ（イ）ａないしｄ）で引用発明と相違する。
　そして、前記（１）ウのとおり、相違点３に係る本願発明７の構成は、引用発明及び引用文献１ないし引用文献５に記載された事項に基づいて、当業者が容易に思い付くものであるということはできないから、相違点３に係る本願発明８ないし本願発明１４の構成も同様である。
　したがって、本願発明８ないし本願発明１４は、引用文献１ないし引用文献５に記載された発明に基づいて、当業者が容易に発明をすることができたものであるということはできない。
５　原査定について
　原査定は、データビット周期の前半又は後半のいずれかでディップを発生させてデータを変調する技術は引用文献４及び引用文献５にマンチェスタ方式の変調技術として示されているように周知であり、引用文献１又は引用文献２に記載された発明においてどのような変調技術を用いるかは当業者が適宜決め得る設計的事項にすぎないから、周知のマンチェスタ方式の変調技術を採用することに特段の困難性はないと判断した。
　しかし、引用文献１又は引用文献２に記載された発明において周知のマンチェスタ方式の変調技術を採用することに特段の困難性がないことは、相違点３に係る本願発明７の構成は引用発明及び引用文献１ないし引用発明５に記載された事項に基づいて当業者が容易に思い付くものであるということはできないとの認定（４（１）ウ）を左右するものではない。
　したがって、原査定の理由は、維持することができない。
６　むすび
　以上のとおりであるから、原査定の理由によっては、本願は拒絶をするべきものであるということはできない。
　また、他に、本願は拒絶をするべきものであるという理由を発見しない。
　よって、結論のとおり審決する。